(57)【要約】【課題】使用者が夜中に起床したとき即時照明として用いることができ、利便性と安全性を得ることができる、照明機能を備えた室内履きを提供すること。【解決手段】本考案の照明機能を備えた室内履きは、特に夜中に起床したとき即時照明として用いることができる室内履きであって、便利で安全な使用効果を得ることができ、履物本体、照明ランプ、作動装置及び電池を含み、そのうち前記作動装置と電池と照明ランプが電気的に接続され、前記作動装置が圧力型作動装置であって、使用者の足の裏が履物底部を踏むと、照明ランプを作動させ発光させる装置である。【選択図】図１
0003125660.tif 000002
【実用新案登録請求の範囲】
【請求項１】
底部及び前端部を含む履物本体と、前記履物本体の前端部に設置された照明ランプと、前記履物本体の底部に設置され、前記照明ランプの発光を制御する装置である作動装置と、前記履物本体内に設置され、前記作動装置及び前記照明ランプと電気的に接続された電池を含んで成る、照明機能を備えた室内履き。
【請求項２】
前記作動装置が圧力型の作動装置であり、使用者の足の裏が前記履物本体の底部を踏むと、圧力がかかって前記作動装置が起動され、前記照明ランプの発光を制御することができる装置である、請求項１に記載の照明機能を備えた室内履き。
【請求項３】
前記作動装置が遅延機能を備えた作動装置であり、使用者の足の裏が前記作動装置に圧力を加えなくなったとき、前記照明ランプに少なくとも１秒間発光を持続させることができる、請求項２に記載の照明機能を備えた室内履き。
【請求項４】
さらに手動スイッチを含み、前記電池の電源供給を制御することができる、請求項１から３のいずれか一項に記載の照明機能を備えた室内履き。
【請求項５】
前記履物本体がスリッパである、請求項１から４のいずれか一項に記載の照明機能を備えた室内履き。
【考案の詳細な説明】
【技術分野】
【０００１】
本考案は照明機能を備えた室内履きに関し、詳細には、夜中に起床したとき即時照明として用いることができる、照明機能を備えた室内履きに関する。
【背景技術】
【０００２】
近年、市場では多くの靴に発光装置が設けられているが、これは、さまざまなタイプの異なる発光ランプを設置することができるため、人の目を引くことができ、また子供が足に履いたとき玩具のように楽しく、好んで履かせることができる。先行技術の関連の特許においては、発光源を靴に設置し、装飾として用いたり（例えば特許文献１及び特許文献２参照）、照明として用いたりするものが示されている（例えば特許文献３参照）。
【０００３】
【特許文献１】米国特許第５,０３３,２１２号明細書
【特許文献２】米国特許第５,６９２,３２４号明細書
【特許文献３】米国特許第５,３２９,４３２号明細書
【考案の開示】
【考案が解決しようとする課題】
【０００４】
しかしながら、それらはすべて室内履きではなく、屋外で使用する靴に応用されるものである。夜中に急に起き出してトイレに行く人は多くいるが、電灯のスイッチがベッドのそばにないことが多く、暗闇の中を手探りでトイレに行くということがよくあり、老人などにとっては非常に不便である。また、部屋の明かりを無理につけてしまうと、その光線が他の寝ている人を起こしてしまうことになる。
【０００５】
このため、ベッドを降りてから室内履きを履くと、即座に発光し歩く方向を照らすことができる履物が必要である。
【０００６】
本考案の主な目的は、夜中に起床したとき即時照明として用いることができる室内履きであって、利便性と安全性を得ることができる、照明機能を備えた室内履きを提供することにある。
【課題を解決するための手段】
【０００７】
上述目的を達成するために、本考案の照明機能を備えた室内履きは、履物本体、照明ランプ、作動装置及び電池を含み、そのうち、前記作動装置と電池、照明ランプが電気的に接続され、前記作動装置は圧力型の作動装置であり、使用者が足の裏で履物底部を踏むと、圧力がかかって前記作動装置が起動され、前記照明ランプの発光を制御することができる装置であって、且つ、前記作動装置は遅延機能を備えた作動装置とし、使用者の足の裏が作動装置に圧力をかけない状態になったとき、照明ランプに少なくとも１秒間発光を続けさせることができる。
【０００８】
使用者がベッドを降りて、足の裏が履物の底を踏むと即座に作動装置が作動し、照明ランプを発光させる。足を上げて前進するとき、圧力がかからない空白の時間は作動装置の遅延機能が働き、照明ランプを発光させ続け、前進方向に光源を提供することができる。最後に、ベッドに戻るときは、使用者の足の裏が履物を離れて一定時間内に作動装置が自動的に回路を切り、照明ランプをオフにして電源を節約する。昼間照明ランプを必要としないときは、この履物にさらに手動スイッチを設けて電池の電源供給を制御する。
【０００９】
本考案の構造は新規的であり、産業的利用価値を備え、確実に増進効果が得られるため、法に基づき実用新案登録を出願するものである。
【考案の効果】
【００１０】
この考案によれば、夜中に起床したとき即時照明として用いることができる室内履きであって、利便性と安全性を得ることができる。
【考案を実施するための最良の形態】
【００１１】
以下、本考案の技術内容についてより理解を促すため、２つの最良の実施の形態に基づき、具体的に説明する。ただし、各実施の形態によって本考案が限定されるものではない。
【００１２】
〔実施の形態１〕
まず、本考案に係る実施の形態１について説明する。図１〜３に本考案の実施の形態１を示す。図２は実施の形態のダイアグラム、図３は実施の形態の回路図である。本考案の照明機能を備えた室内履き１０は、履物本体２０、照明ランプ４０、作動装置３０、電池５０及び手動スイッチ６０を含む。
【００１３】
本実施の形態において、前記照明ランプ４０（例えばLED）は前記履物本体２０の前端部２２に設置され、前記作動装置３０は前記履物本体２０の後端部２３よりの底部２１に設置され、前記照明ランプ４０に発光させるか否かを決定する。前記電池５０は前記履物本体２０内に設置され、且つ、前記作動装置３０、照明ランプ４０、手動スイッチ６０と電気的に接続される。
【００１４】
前記作動装置３０は、本実施の形態においては圧力型作動装置とし、使用者の足の裏が前記底部２１を踏んだとき、圧力がかかり前記作動装置３０が起動され照明ランプ４０を発光させることができる。このほか、作動装置３０は遅延機能を備えていることが望ましく、例えば、照明ランプ４０に発光を少なくとも１秒間以上持続させることができるとよい。以下、作動装置３０が遅延機能を備えていることの利点を説明する。使用者が夜ベッドから出た後、足の裏で履物を踏むと即座に作動装置３０が起動され、照明ランプ４０を発光させる。足を上げて前進するとき、この空白の時間に作動装置３０の遅延機能が働き、照明ランプ３０を発光させ続け、前進方向に光源を提供する。最後にベッドに戻って休むとき、使用者の足の裏が履物を一定時間以上（例えば１秒間または１秒以上）離れると、作動装置３０が自動的に回路を切り、照明ランプ４０をオフにして電源を節約することができる。
【００１５】
本実施の形態において、作動装置３０はさらに手動スイッチ６０の機能を含むことができ、昼間照明の必要がないときは照明機能をオフにすることができ、それにより節電効果を得ることができる。
【００１６】
〔実施の形態２〕
次に、本考案に係る実施の形態２について説明する。図４は実施の形態２の照明機能を備えたスリッパの側面断面図である。実施の形態１との最大の違いは、履物本体２０が室内スリッパ７０である点である。
【００１７】
上述のように、本考案はその目的、手段及び効果のどれをとっても、従来技術とは異なる特徴を備え、一つの大きな突破口を開くものであり、一日も早く特許が認められ、社会に貢献できることを願うばかりである。ここで注意が必要なのは、上述の実施の形態は例示的に本考案の原理及び効果を説明することを目的としており、本考案の範囲を制限するものではない。例えば、作動装置は圧力型作動装置に限らず、光検出器（赤外線光検出器など）で使用者の足が履物を履いたか否かを検出することもできる。あらゆる関連技術に詳しい人物により、本考案の技術原理及び要旨の範囲内で上述の実施の形態に対し修飾や変化を行うことができる。本考案の権利の保護範囲は、付属の請求の範囲で述べる。
【図面の簡単な説明】
【００１８】
【図１】本考案の実施の形態１の照明機能を備えた室内履きの側面断面図である。
【図２】本考案の実施の形態のダイアグラムである。
【図３】本考案の実施の形態の回路図である。
【図４】本考案の実施の形態２の照明機能を備えたスリッパの側面断面図である。
【符号の説明】
【００１９】
１０  室内履き
２０  履物本体
２１  底部
２２  前端部
２３  後端部
３０  作動装置
４０  照明ランプ
５０  電池
６０  手動スイッチ
７０  スリッパ
【図１】
0003125660.tif 000003
【図２】
0003125660.tif 000004
【図３】
0003125660.tif 000005
【図４】
0003125660.tif 000006